(57)【要約】      （修正有）【課題】収納可能な背面鏡を提供する。【解決手段】壁・パ−テ−ション等に固定された根元材には、壁と平行な直線ガイドと連結ピンＡ４を介して、主リンク５が連結されている。この主リンクの他端には連結ピンＢ６を介して、鏡支持材が連結されている。この鏡支持材の壁側の点に連結ピンＣ８を介して、補助リンクＡ９が連結されている。他端には連結ピンＤ１０を介して、補助リンクＢ１１と連結されている。この補助リンクＢの他端は連結ピンＥ１２を介して、主リンクと連結されている。更に、この補助リンクＡには連結ピンＤと同芯のガイドロ−ラ１３を備え、直線ガイドに倣って直線運動する。このように連結ピンＡ・Ｂ・Ｃ・Ｄを結ぶ平行四辺形リンクを形成しその上の鏡支持材に可動鏡用平面鏡を鏡取付金具で取付る構成と成っている。【選択図】図１
2006296998.tif 000002
【特許請求の範囲】
【請求項１】
鉛直に設置された固定平面鏡の前に立ち、自分の姿を鏡内に映し見ようとする人が自分を挟んで、この固定平面鏡に対置せしめ、他者の助けを借りずに自分の手で最適な角度になるよう調整、操作することと合わせ自分自身の位置、姿勢調整をも行い、自分の眼で自分の姿を鏡内に直立背面・側面を、確実に映し見れ、使用後は自分の手で折たたみ、壁面やパ−テ−ション等に張付く形で平板状に、コンパクトに収納し、通路を元通りに確保できることを特徴とする可動平面鏡
【発明の詳細な説明】
【技術分野】
【０００１】  本発明は、他者の手を借りずに、自力のみで、自分の直立背面を確実に映し見ることができるリンク機構を持った可動平面鏡に関するものである。
【背景技術】
【０００２】  自分の背面を鏡に映し見ようとする時、他者の手を借りずに、自力のみでは、手鏡を用いるのが一般的で、背面全体を見れないばかりでなく、手鏡を持つ片手が塞がり両手が使えず修正・仕上げ作業等が十分にできないという欠点があった。
【発明の開示】
【発明が解決しようとする課題】
【０００３】  手鏡では、背面全体を見ることができないので自分自身で自分の背面状態を確認できない、更に、手鏡を持つ片手が塞がり両手が使えないので身ずくろいが十分に行えない等の欠点を解決するために、本発明は成されたものである。
【課題を解決するための手段】
【０００４】  本発明の可動平面鏡は、図１に示すごとく、壁・パ−テ−ション等（１）に固定された根元材（２）には、壁と平行な直線ガイド（３）と連結ピンＡ（４）を介して、主リンク（５）が連結されている。  この主リンクの他端には連結ピンＢ（６）を介して、鏡支持材（７）が連結されている。  この鏡支持材の壁側の点に連結ピンＣ（８）を介して、補助リンクＡ（９）が連結されている。  他端には連結ピンＤ（１０）を介して、補助リンクＢ（１１）と連結されている。  この補助リンクＢの他端は連結ピンＥ（１２）を介して、主リンクと連結されている。  更に、この補助リンクＡには連結ピンＤと同芯のガイドロ−ラ（１３）を備え、直線ガイドに倣って直線運動する。このように連結ピンＡ・Ｂ・Ｃ・Ｄを結ぶ平行四辺形リンクを形成しその上の鏡支持材に可動鏡用平面鏡（１４）を鏡取付金具（１５）で取付る構成と成っている。  可動平面鏡の作動を、以下に述べる。
１．壁に平行な直線Ｙ、直角な直線Ｘ、この２直線の交点に連結ピンＡを置く。
２．主リンクの長さは鏡支持材の長さの半分である。
３．主リンクは１端を連結ピンＡと他端を鏡支持材中央点と連結ピンＢを介して、連結      している。
４．鏡支持材の壁側端をＭ点、反壁側端をＮ点、とする。
５．このままでは、直線Ｙ上の直線ガイドが連結ピンＡから収納時のＭＭ点まで必要に      なり供用時鏡支持材の外に露出し、美観上・デザイン上好ましくないので、補助リ      ンクＡ・Ｂを追加し、連結ピンＡ・Ｂ・Ｃ・Ｄを結ぶ平行四辺形リンクを形成し、      連結ピンＤと同芯のガイドロ−ラを、短い直線ガイド内に直線運動させ、Ｍ点の直      線Ｙ上移動を保証している。
上記の条件下では、Ｍ点が直線Ｙ上を移動すると、Ｎ点は必ず直線Ｘ上を移動する、即ち、Ｎ点（鏡支持材上の角点）は壁に対し直角に直線移動する。
収納時、鏡支持材は、Ｍ点が連結ピンＡ上に重なり、Ｎ点が直線Ｙ上に位置する状態になるまで折畳まれるから、この可動平面鏡は、供用時・収納時共に、固定平面鏡（１６）と連結ピンＡ部の外周までの距離内に収まり、必要設置距離を無駄なく、最小にできる。
この可動平面鏡と固定平面鏡の間に立った人が、両鏡の相互投影により、他者の助けを借りずに、自力で、鏡支持材上の平面鏡を最適な角度に調整して、自分の背面の部分をも、全体をも確実に映し見れ、その上、フリ−となった両手を使い、身ずくろい・修正も十分に行い、姿投影・修正・最終仕上げ等終了後は、自分の手で折たたみ、壁面に張付く形で平板状に、コンパクトに収納し、元通りに確保した通路を通って退去する。
【発明の効果】
【０００５】  収納時は、壁面やパ−テ−ション等に張付く形で平板状に、コンパクトに収納される省スペ−ス方式故、新設に限らず、既設の狭いスペ−スの洗面室・試着室等の既に供用中の場所にも、通路としている空間を一部利用して、本来の洗面・試着等の供用状態を妨げることなく設置・供用できる。
従って、他者の助けを借りずに、自力で背面を見れる特性を生かし、
１．プライバシ−の保持
２．スラックス・ジ−ンズ・水着等の服装背面のフイット具合
３．ダイエットの背面の進み具合
４．外出時の服装の背面の気付具合
５．ヘアスタイルの背面の仕上り具合
等の確認と継続してフリ−な両手を使って、容易に修正・最終仕上げを可能にしたことにより、服装服飾面・健康管理面・美容面等の一般生活の質的向上に広く寄与できる。
【発明を実施するための最良の形態】
【０００６】  以下、本発明の実施の形態を図面にしたがって実施例を説明するが、例示は単に説明用のものであって、後述する具体的構成に限定されるものでなく、必要に応じ適宜構成を変形、追加または削除した構成としてもよい。
【実施例】
【０００７】  図１は、本発明の供用状態と収納状態を示す全体概要平面図である。
既に、課題を解決するための手段の項で、述べたとうり、基本構成の概要を示す。合せて、本可動平面鏡の基本動作原理の説明図をも兼ねている。
図２は、本発明の浴室等に隣接する洗面化粧室への適用例の平面図である。
洗面化粧等に供されているスペ−スを利用・借用する形で、洗面化粧等に支障を、来たさずに、自力で自分の背面を映し見れる一実施例を示す。
図３は、本発明の試着室への適用例の平面図である。
多リンク式と単リンク式では、試着室の奥行きに、ＳＤの差がでるが、試着室が、新設ならば、限られた売場面積をより有効に活用するには省スペ−ス形の多リンク式を、奥行きの大きい既設の場合ならば、資源有効利用の観点等から単リンク式を、適用する等、クライアントに広い選択肢を提供できる。
【図面の簡単な説明】
【０００８】
【図１】本発明の供用状態と収納状態を示す全体概要平面図
【図２】本発明の浴室等に隣接する洗面化粧室への適用例の平面図
【図３】本発明の試着室への適用例の平面図
【符号の説明】
【０００９】  １  壁・パ−テ−ション等
２  根元材
３  直線ガイド
４  連結ピンＡ
５  主リンク
６  連結ピンＢ
７  鏡支持材
８  連結ピンＣ
９  補助リンクＡ
１０  連結ピンＤ
１１  補助リンクＢ
１２  連結ピンＥ
１３  ガイドロ−ラ
１４  可動鏡用平面鏡
１５  鏡取付金具
１６  固定平面鏡
【図１】
2006296998.tif 000003
【図２】
2006296998.tif 000004
【図３】
2006296998.tif 000005